(57)【要約】【課題】  値下げ商品（見切商品）についてレジにおける値引き忘れを防止すると共に、値下げ価格情報を含んだバーコードのスキャンが容易であり、かつ、値下げの表示をするための商品への貼付が容易となる値下げ価格バーコードラベル及びその貼付方法を提供する。【解決手段】  少なくとも値下げ価格情報を含んだバーコード２が印字された値下げ価格バーコードラベルＬ２を、ラベル本体３から突出するように一体形成された目隠し部４によって、目隠し部４がその対象商品における値下げ前の価格情報を含んだバーコード１に掛かるように貼り付け、値下げ前価格バーコードを読み取り不能とする。【選択図】        図２
2006215236.tif 000002
【特許請求の範囲】
【請求項１】
少なくとも値下げ価格情報を含んだバーコードが印字されたラベル本体と、該ラベル本体から突出するように一体形成された目隠し部とからなる値下げ価格バーコードラベルを、前記目隠し部がその対象商品における値下げ前の価格情報を含んだバーコードに掛かるように貼り付け、値下げ前価格をバーコード読み取り不能とすることを特徴とする値下げ価格バーコードラベルの貼付方法。
【請求項２】
少なくとも値下げ価格情報を含んだバーコードが印字されたラベル本体と、該ラベル本体から突出するように一体形成された目隠し部とからなる値下げ価格バーコードラベルを、前記目隠し部がその対象商品における値下げ前の価格情報を含んだバーコードに掛かるように貼り付け、値下げ前価格をバーコード読み取り不能とする方法に用いることを特徴とする値下げ価格バーコードラベル。
【発明の詳細な説明】
【技術分野】
【０００１】
本発明は、小売り流通業界で、客寄せのために行われる商品の値下げ（通称「マークダウン」、「見切」などとも呼ばれる）を行う際に適した値下げ価格バーコードラベル及びその貼付方法に関するものである。
【背景技術】
【０００２】
マークダウンをアナウンスしたにも拘わらずマークダウンが実施されずに信用を落とすことを防止する手段の一つとして、マークダウンの表示の外、商品の実質的に値下げ前の価格情報を含んだバーコードが、誤ってレジで読み込まれないようにするために、そのバーコードの少なくとも一部を目隠しして、そのバーコードを読み込もうとした時には、エラーを発して、値下げ価格バーコードを読み取らなければならないことを気付かせることが行われている。
【０００３】
特許文献１には、値下げ前の価格情報を含んだバーコードを備えた値下げ対象の商品に対して、値下げ価格バーコードラベルの目隠し部をそのバーコードの上に貼り付けながら脆く繋がった部分で千切り、その後、目隠し部以外の値下げ価格バーコードラベルの本体を値下げ対象の商品上に貼付する値下げ価格バーコードラベルおよびその貼付方法が記載されている。
【０００４】
【特許文献１】特開２０００−３４４２１８号公報
【発明の開示】
【発明が解決しようとする課題】
【０００５】
しかしながら、特許文献１の発明によると、値下げ前の価格情報を含んだバーコードと、値下げ価格バーコードラベルとが、それぞれ商品上の任意の位置に貼付られるため、レジで価格のバーコードをスキャンする際にバーコードを見分ける必要があり、操作が煩雑となる欠点がある。
【０００６】
また、値下げ前の価格情報を含んだバーコードに値下げ価格バーコードラベルの一部（目隠し部）を千切って貼り付けるものであるため、目隠し部がバーコード以外の部分に誤って貼り付いてしまうと、そのまま破けてしまい易く、取り扱いが難しいという欠点もある。
【０００７】
本発明は、斯かる実情に鑑み成されたもので、値下げ商品（見切商品）についてレジにおける値引き忘れを防止し得ると共に、値下げ価格情報を含んだバーコードのスキャンが容易であり、かつ、値下げの表示をするための商品への貼付が容易となる値下げ価格バーコードラベル及びその貼付方法を提供しようとするものである。
【課題を解決するための手段】
【０００８】
上記課題を解決するため、請求項１にかかる発明が採用する手段は、少なくとも値下げ価格情報を含んだバーコードが印字されたラベル本体と、該ラベル本体から突出するように一体形成された目隠し部とからなる値下げ価格バーコードラベルを、前記目隠し部がその対象商品における値下げ前の価格情報を含んだバーコードに掛かるように貼り付け、値下げ前価格をバーコード読み取り不能とする方法である。
【０００９】
また、請求項２にかかる発明が採用する構成は、少なくとも値下げ価格情報を含んだバーコードが印字されたラベル本体と、該ラベル本体から突出するように一体形成された目隠し部とからなる値下げ価格バーコードラベルであって、前記目隠し部がその対象商品における値下げ前の価格情報を含んだバーコードに掛かるように貼り付け、値下げ前価格をバーコード読み取り不能とする方法に用いるとを特徴とする。
【００１０】
上記手段によれば、目隠し部がラベル本体から突出しているので、値下げ価格バーコードラベルを値下げ前価格バーコードに隣接して貼り付けるだけで、目隠し部により値下げ前価格バーコードの一部を覆い隠して読み取り不能にでき、誤って値引き前の価格情報を含むバーコードをスキャンしてしまうのを防止できる。
【００１１】
また、新価格のバーコードは旧価格のバーコードに隣接するので、レジ係は値下げ品であることを特に意識することなく同じ位置をスキャンすればよく、精算時の操作が容易となる。
【００１２】
また、値下げ前の価格情報が含まれるバーコードに隣接して製造責任者や賞味期限、原材料名やＰＲ情報が併記されている場合には、これらの有用情報を値下げ価格バーコードラベルが覆い隠してしまう不都合を解消でき、有用情報の活用が図られる。
【００１３】
また、値下げ価格バーコードラベルを、ラベル本体を値下げ前価格のバーコードの縁に沿わせて貼り付ければ、目隠し部の貼付位置が確実に値下げ前価格のバーコードを覆い、見栄えも綺麗にできる。
【発明の効果】
【００１４】
本発明によれば、値下げ価格バーコードラベルを値下げ前価格バーコードに隣接して貼り付けるだけで、値下げ前価格バーコードの一部を覆い隠して、誤って値引き前の価格のバーコードをスキャンしてしまうのを防止できると共に、レジ係の店員は旧価格のバーコードと同じ位置をスキャンするだけで、精算が容易に行われる。
【００１５】
また、値下げ前の価格情報を含むバーコードに隣接して製造責任者や賞味期限、原材料名やＰＲ情報等の有用情報が記載されている場合、これを値下げ価格バーコードラベルが覆い隠してしまう不都合もなく、商品の外観を損なわずに値引き操作が行われる。
【００１６】
さらに、値下げ価格バーコードラベルを、ラベル本体を値下げ前価格のバーコードの縁に沿わせるようにして貼り付ければ、値下げ価格バーコードラベルの目隠し部及びラベル本体の貼付位置を微妙にコントロールでき、外観も綺麗にできる。
【発明を実施するための最良の形態】
【００１７】
以下、本発明の実施の形態を図示例と共に説明する。
【００１８】
図１ないし図４は第１の実施形態を示す。該第１の実施形態では、店内で使用されるNON PLU 13桁のバーコード体系に従ってバーコードが付されたラベルについて説明する。なお、以下に説明するラベルの裏面には粘着剤が設けられており、ラベルは剥離用の台紙の上に配列された状態でラベル発行装置から発行される。
【００１９】
図１の元売価ラベルＬ１は、商品Ｍ（「牛肩  小間切れ」肉）に貼り付けられ、その表面には商品名、加工日、消費期限、価格、製造者、販売者、等の有用情報と、値下げ前の価格情報を含んだバーコード１が表示されている。該バーコード１には、図３に示すように、左端から順に、フラグ７，商品コード８，桁合わせの為のダミーコード９，価格（元売価格）１０およびチェックデジット１１が含まれている。
【００２０】
Ｌ２は本発明にかかる値下げ価格バーコードラベルを示す。該値下げ価格バーコードラベルＬ２は、値下げ価格情報を含んだバーコード２が印字されたラベル本体３と、該ラベル本体３から突出するように一体形成された目隠し部４とを備えている。
【００２１】
また、ラベル本体３には、値下げ価格に関するバーコード情報の他、値下げ価格に関する視認情報５も記録されている。この視認情報５を表示する方法としては、図示のように、見切後価格（値下げ後の価格自体）を表示する方法や、見切幅（「円引き」や「％引き」などの値下げの幅）を表示する方法などがある。
【００２２】
６はラベル本体３および目隠し部４の角隅に、ラベルＬ２を台紙以外の被着体に一旦貼付した後、剥がそうとするとラベルＬ２が破れるように形成した不正防止用の切れ目（タンパープルーフ：登録商標）である。本発明の値下げ価格バーコードラベルＬ２は、一度マークダウンに使用された後、商品から綺麗に剥がして他の商品に貼り替えた場合、レジスターを欺くことができてしまう。
【００２３】
そこで、ラベルＬ２に無理に剥がそうとするとラベルが破けて再使用できなくなるようにタンパ−プルーフ６を設けたものである。
【００２４】
前記値下げ価格バーコードラベルＬ２は、バーコード読み取り装置（スキャナ）を備えたラベル発行装置で元売価ラベルＬ１を読み取り、この元データを加工編集して印字発行される。
【００２５】
また、前記バーコード２は、上段バーコードＡと下段バーコードＢの２段に分かれた二段バーコードにより構成されている。なお、上段バーコードＡと下段バーコードＢとは、前記バーコード１と同一桁数のコード情報が表示されている。
【００２６】
そして、上段バーコードＡおよび下段バーコードＢの内容構成は図４のようになっている。
フラグ１２は、バーコード２が２段バーコードであることを示す。フラグ７、商品コード８、ダミーコード９は元売価ラベルＬ１のものと同一である。１３は元売価の上２桁の数値である。１４はチェックデジットであり、上段バーコードＡの為に計算して付加される。
【００２７】
下段バーコードＢは前記フラグ１２、元売価の下２桁の数値１５，元売価のバーコード１のチェックデジット１１、ダミーの数値１６、値下げ価格の数値１７、下段バーコードＢの為に新たに計算されたチェックデジット１８とからなる。
【００２８】
そして、この値下げ価格バーコードラベルＬ２を用いてマークダウンを行うには、図１の如く、ラベル本体３を値下げ前価格のバーコードラベルＬ１の縁に沿わせて貼り付ける。このとき、目隠し部４の貼付位置が確実に値下げ前価格のバーコード１の先頭部分を覆い隠してこれを読み取り不能にする（図２）。
【００２９】
レジのオペレータは、前記商品Ｍのコード表示部分をスキャナで読み取らせることにより、見切後の商品価格がレジスタに入力される。たとえば、図２の場合、レジスタは、二段バーコード２の各バーコードＡ，Ｂの先頭部のフラグ１２により２段バーコードであることを認識し、元売価格「２４９円」および値引き価格「１３０円」として認識することができる。したがって、オペレータがバーコードをレジで読み取らせるだけで同時に値引きも行うことができ、レジにおける値引き忘れを防止できる。しかも、商品についての値下げ前の情報を知ることもできるから、売上げの管理を行ったり、商品コードに応じた商品名を表示したり、レジスタのプリンタでレシートに印字することもできる。
【００３０】
図５および図６は第２の実施の形態であり、本実施の形態の特徴は前述した第１の実施の形態における２段バーコードに代えてcode128のバーコード体系による一段バーコード２０を用いた点にある。なお、code128のバーコード構成は図６に示す。
以上の如く構成される第２の実施形態によっても前述した第１の実施の形態と同様の作用効果を奏することができる。
【００３１】
次に、図７ないし図９を用いて値下げ価格バーコードラベルの他の実施の形態（変形例）について説明する。なお、共通する部分および前述した第１の実施の形態と同一の構成要素には同一の符号を付し、その説明を省略する。
【００３２】
図７ないし図９は、ラベル本体３および目隠し部４の形状を変化させた変形例である。図９は、上述した各実施の形態で値下げ価格バーコードラベルＬ２の角隅に設けたタンパープルーフ６を、ラベル本体３の中央に形成したミシン目形状としたものである。以上のような変形例であっても、前述の各実施形態と同一の作用効果を奏する。
【図面の簡単な説明】
【００３３】
【図１】本発明の実施の形態に係る値下げ価格バーコードラベルの貼付方法を示す説明図である。
【図２】貼付後の旧価格ラベルと値下げ価格バーコードラベルとを示す説明図である。
【図３】元売価格を含むバーコードの構成を示す概念図である。
【図４】値下げ価格を含むバーコードの構成を示す概念図である。
【図５】他の実施形態による値下げ価格バーコードを示す説明図である。
【図６】図５のバーコード構成を示す説明図である。
【図７】他の実施の形態に係るラベルの形状を示す平面図である。
【図８】他の実施の形態に係るラベルの形状を示す平面図である。
【図９】他の実施の形態に係るラベルの形状を示す平面図である。
【符号の説明】
【００３４】
Ｌ１…元売価ラベル、Ｌ２…値下げ価格バーコードラベル、１…バーコード、２…二段バーコード、Ａ…上段バーコード、Ｂ…下段バーコード、３…ラベル本体、４…目隠し部、５…視認情報、６…タンパープルーフ
【図１】
2006215236.tif 000003
【図２】
2006215236.tif 000004
【図３】
2006215236.tif 000005
【図４】
2006215236.tif 000006
【図５】
2006215236.tif 000007
【図６】
2006215236.tif 000008
【図７】
2006215236.tif 000009
【図８】
2006215236.tif 000010
【図９】
2006215236.tif 000011